(57)【要約】【課題】  施錠状態のクレセントの回転阻止および解除の手間を軽減できるうえ、迅速にクレセントの回転阻止の解除を行えるクレセントの回転阻止装置を提供する。【解決手段】  本発明の回転阻止装置は、ガラス戸３を閉めた状態で回転させて受け具９に係止させることで施錠状態になったクレセント８の回転を阻止する。回転阻止装置１２は、ガラス戸３に取り付けられ、その本体１２ａには、進退移動可能な阻止部材１３と、阻止部材１３を駆動する駆動部１４と、駆動部１４を制御する制御部１５と、リモコン１６から無線送信されてくる指示信号を受信して制御部１５に送る通信部１７と、各部に電源供給を行う電源部１８を有する。阻止部材１３が進出したときには、阻止部材１３によってクレセント８の回転が阻止され、阻止部材１３が後退したときには、クレセント８の回転阻止が解除される。電源部１８には、太陽電池２８を接続している。【選択図】  図１
2012241476.tif 000002
【特許請求の範囲】
【請求項１】
障子（３）を閉めた状態で回転させて受け具（９）に係止させることで施錠状態になるクレセント（８）に対して配置されて、その施錠状態のクレセント（８）の回転を阻止する回転阻止装置（１２）であって、
その回転阻止装置（１２）は、障子（３）に取り付けられるようになっており、
回転阻止装置（１２）の本体（１２ａ）には、進退移動可能な阻止部材（１３）と、その阻止部材（１３）を駆動する駆動部（１４）と、その駆動部（１４）を制御する制御部（１５）と、無線送信機から無線で送信されてくる指示信号を受信して当該指示信号を制御部（１５）に送る通信部（１７）と、各部に電源供給を行う電源部（１８）とを有しており、
制御部（１５）は、前記指示信号に基づいて駆動部（１４）を制御しており、
前記指示信号に基づいて阻止部材（１３）が進出駆動されたときには、その阻止部材（１３）によってクレセント（８）の回転が阻止され、阻止部材（１３）が後退駆動されたときには、クレセント（８）の回転阻止が解除されるようになっており、
電源部（１８）には、太陽電池（２８）を接続していることを特徴とするクレセントの回転阻止装置。
【請求項２】
阻止部材（１３）が進出駆動されたときに、その阻止部材（１３）がクレセント（８）のレバー（８ａ）に臨むことで、クレセント（８）の回転を阻止することを特徴とする請求項１記載のクレセントの回転阻止装置。
【請求項３】
阻止部材（１３）の進出状態を維持するためのロック手段を有していることを特徴とする請求項１または２記載のクレセントの回転阻止装置。
【請求項４】
太陽電池（２８）は、電源部（１８）に対して着脱自在になっていることを特徴とする請求項１ないし３のいずれかに記載のクレセントの回転阻止装置。
【請求項５】
無線送信機が、非常感知器であり、
制御部（１５）は、通信部（１７）が非常感知器からの非常感知信号を受信したときに、阻止部材（１３）を後退駆動させることを特徴とする請求項１ないし４のいずれかに記載のクレセントの回転阻止装置。
【請求項６】
電源部（１８）には、充電可能な二次電池を有しており、
本体（１２ａ）内に発電機を設けるとともに、その発電機に連結している手回し式のハンドルを本体（１２ａ）の表面に配置し、前記ハンドルを回して発電した電力で電源部（１８）の二次電池を充電することを特徴とする請求項１ないし５のいずれかに記載のクレセントの回転阻止装置。
【請求項７】
電源部（１８）には、外部電源が接続可能になっていることを特徴とする請求項１ないし６のいずれかに記載のクレセントの回転阻止装置。
【発明の詳細な説明】
【技術分野】
【０００１】
本発明は、引違い戸、片引き戸または引違い式の窓などに設置されるクレセントの回転を阻止する回転阻止装置に関するものである。
【背景技術】
【０００２】
例えば引違い式のサッシ窓では、内側の縦窓枠にクレセントを取り付け、外側の縦窓枠であって前記クレセントに対応する位置に受け金具を取り付け、当該クレセントを回転させて受け金具に係止させることで施錠していた。
【０００３】
ところが、前記サッシ窓では、外部からサッシ窓のガラスに小穴をあけて、そこから手などを差し入れることで、クレセントを回転させて解錠することが可能であり、防犯上の問題があった。
【０００４】
その対策として、特許文献１では、鍵によってデッドボルトをスライド移動させることが可能な補助錠を内側の縦窓枠に取り付け、鍵を回してデッドボルトを施錠位置にスライドさせることで、施錠状態のクレセントの回転を阻止して解錠不能にしている。
【先行技術文献】
【特許文献】
【０００５】
【特許文献１】特開２００３−９７１１８号公報
【発明の概要】
【発明が解決しようとする課題】
【０００６】
特許文献１の補助錠では、当該補助錠の鍵穴に鍵を差し込んだのち、当該鍵を回してデッドボルトをスライド移動させなければならない。このため、施錠状態のクレセントの回転阻止およびその解除に手間がかかって煩わしいといった問題がある。また火事などの際に迅速に解錠することができないといった問題がある。
【０００７】
本発明は、かかる不都合を解決することを目的とするものであり、施錠状態のクレセントの回転阻止および解除の手間を軽減できるうえに、迅速にクレセントの回転阻止の解除を行えるクレセントの回転阻止装置を提供することにある。
【課題を解決するための手段】
【０００８】
本発明は、前記不都合を解決するものである。すなわち本発明は、障子３を閉めた状態で回転させて受け具９に係止させることで施錠状態になるクレセント８に対して配置されて、その施錠状態のクレセント８の回転を阻止する回転阻止装置１２であって、回転阻止装置１２は、障子３に取り付けられるようになっており、回転阻止装置１２の本体１２ａには、進退移動可能な阻止部材１３と、その阻止部材１３を駆動する駆動部１４と、その駆動部１４を制御する制御部１５と、無線送信機から無線で送信されてくる指示信号を受信して当該指示信号を制御部１５に送る通信部１７と、各部に電源供給を行う電源部１８とを有しており、制御部１５は、前記指示信号に基づいて駆動部１４を制御しており、前記指示信号に基づいて阻止部材１３が進出駆動されたときには、その阻止部材１３によってクレセント８の回転が阻止され、阻止部材１３が後退駆動されたときには、クレセント８の回転阻止が解除されるようになっており、電源部１８には、太陽電池２８を接続していることを特徴とする。ここでの無線送信機には、無線式のリモコン１６などが該当する。電源部１８は、一次電池または充電可能な二次電池などを有している。
【０００９】
詳しくは、阻止部材１３が進出駆動されたときに、その阻止部材１３がクレセント８のレバー８ａに臨むことで、クレセント８の回転を阻止するようになっている。
【００１０】
また、阻止部材１３の進出状態を維持するためのロック手段を有している。ロック手段としては、阻止部材１３を進退駆動するモータ２０の電源端子間を短絡して、当該モータ２０にブレーキ力を発生させることや、モータ２０と阻止部材１３とをネジを介在させて連結することで阻止部材１３の進退を困難にすることなどが該当する。
【００１１】
太陽電池２８は、電源部１８に対して着脱自在になっているものとすることができる。
【００１２】
また、無線送信機が、非常感知器であり、制御部１５は、通信部１７が非常感知器からの非常感知信号を受信したときに、阻止部材１３を後退駆動させるものとすることができる。ここでの非常感知器には、煙感知器や火災感知器やガス感知器や地震感知器などが該当する。これらの非常感知器は、火事やガス漏れや地震などの非常時を感知したときに非常感知信号を送信する。回転阻止装置１２は、非常感知器の非常感知信号を直接受信するものであってもよく、非常感知器（無線式または有線式）の非常感知信号を、無線で送信する中継機器などを介して受信するものであってもよい。ここでは、回転阻止装置１２は、非常感知信号または前記指示信号のいずれかを受信したときに阻止部材１３を後退させることになる。
【００１３】
電源部１８に二次電池を有し、回転阻止装置１２の本体１２ａ内に発電機を設けるとともに、その発電機に連結している手回し式のハンドルを本体１２ａの表面に配置し、前記ハンドルを回して発電した電力で電源部１８の二次電池を充電するものとすることができる。
【００１４】
また電源部１８には、充電器などの外部電源が接続可能になっているものとすることができる。外部電源には商用電源を含んでおり、回転阻止装置１２は、その商用電源を整流するなどによって各部に電源供給を行うことができる。
【発明の効果】
【００１５】
本発明のクレセント８の回転阻止装置１２は、リモコンなどの無線送信機からの指示信号に基づいて阻止部材１３を進出駆動したときには、その阻止部材１３によって施錠状態のクレセント８の回転を阻止するので、その施錠状態のクレセント８を解錠することが困難となる。このため、例えば外部から障子３に小穴をあけ、そこから手などを差し入れてもクレセント８を回転させて解錠することができず、これによって防犯効果を向上させることができる。
【００１６】
このように、無線送信機から指示信号を送信するだけで、施錠状態のクレセント８の回転の阻止およびその回転阻止を解除できるので、その回転阻止および解除の手間を軽減できるうえに、迅速にクレセント８の回転阻止の解除を行える。
【００１７】
また、回転阻止装置１２の本体１２ａに、クレセント８の回転を阻止するための構成である阻止部材１３と駆動部１４と制御部１５と通信部１７と電源部１８とを全て有するので、本体１２ａを障子３に取り付けるだけの簡単な作業で、クレセント８の回転を阻止することができる。しかも本体１２ａに、無線送信機と無線で通信する通信部１７と、電源部１８とを有するので、外部との接続用の配線が不要となり、それによっても回転阻止装置１２の配置に伴う作業の低減を図ることができる。また、太陽電池２８を有しているので、例えば電源として電池のみを用いた場合に比べて、電池交換や充電などの手間を軽減できる。
【００１８】
進出駆動された阻止部材１３がクレセント８から突出しているレバー８ａに臨むようにすると、阻止部材１３を棒状に形成して、その阻止部材１３を直線状にスライド移動させるだけの簡単な構成で、施錠状態のクレセント８の回転を阻止することができる。
【００１９】
阻止部材１３の進出状態を維持するためのロック手段を有していると、進出状態の阻止部材１３を指などで押して後退させることが困難となり、防犯効果をより向上させることができる。
【００２０】
太陽電池２８が電源部１８に対して着脱自在になっていると、障子３への取り付け時には太陽電池２８を外しておくことで、太陽電池２８との配線に煩わされることなく、回転阻止装置１２を障子３へ取り付けることができ、また太陽電池２８は、回転阻止装置１２との配線に煩わされることなく、障子３の外面などに取り付けることができる。
【００２１】
無非常感知器からの非常感知信号を受信したときに阻止部材１３を後退駆動させると、火事などの非常時には、施錠状態のクレセント８の回転阻止の解除が自動的に行われ、これによってクレセント８を回して解錠して室内などから迅速に脱出することができる。
【００２２】
回転阻止装置１２の本体１２ａ内の発電機に連結しているハンドルを回して発電した電力で電源部１８の二次電池を充電すると、太陽電池２８の発電だけでは二次電池を十分に充電できないときに、ハンドルを回して前記二次電池を十分に充電することができ、これによって回転阻止装置１２を確実に作動させることができる。
【００２３】
電源部１８に外部電源が接続可能になっていると、その外部電源によって、各部に電源供給を行ったり、電源部１８の二次電池を充電したりすることができる。
【図面の簡単な説明】
【００２４】
【図１】本発明の第１実施例にかかる回転阻止装置の側面図である。
【図２】回転阻止装置の斜視図である。
【図３】回転阻止装置を配置した引違い戸の正面図である。
【図４】回転阻止装置のブロック構成図である。
【図５】回転阻止装置の駆動部を示す縦断面図である。
【図６】本発明の回転阻止装置の第２実施例を示す縦断面図である。
【図７】図６のＡ−Ａ線矢視断面図である。
【発明を実施するための形態】
【００２５】
本発明に係るクレセントの回転阻止装置の第１実施例を図１ないし図５に基づいて説明する。本発明の回転阻止装置は、例えば室内とベランダとを仕切る出入り口（開口部）に配置される引違い戸に設けられる。
【００２６】
前記引違い戸１は、図３に示すように、前記出入り口に固定しているアルミニウム製の矩形状の枠２と、前記出入り口を開閉する内外二枚のガラス戸（障子）３・４とを有している。前記枠２は、左右の竪枠２ａ・２ａと、それらの竪枠２ａ・２ａの上端間に掛け渡した上枠２ｂと、竪枠２ａ・２ａの下端間に掛け渡した下枠２ｃとで構成している。
【００２７】
各ガラス戸３・４は、ガラス５をアルミニウム製の矩形状の框６の中に取り付けている。その框６は、左右の縦框６ａ・６ａと、その縦框６ａ・６ａの上端間に掛け渡した上框６ｂと、左右の縦框６ａ・６ａの下端間に掛け渡した下框６ｃとで構成している。各ガラス戸３・４は、枠２の上枠２ｂおよび下枠２ｃに配置した上下のレール（不図示）に沿って左右方向にスライド移動可能になっている。
【００２８】
前記ガラス戸３・４のうち、内側（室内側）のガラス戸３（図３では右側）には、その左側の縦框６ａの左面に、図１および図２に示すクレセント８を取り付けている。そのクレセント８は、上下方向に回動自在になっている。外側（ベランダ側）のガラス戸４（図３では左側）には、その右側の縦框６ａであって前記クレセント８に対応する位置に、フック状の受け金具（受け具）９を取り付けている。
【００２９】
そして、ガラス戸３・４を閉めた状態で、クレセント８のレバー８ａをベランダ側（図１の反時計方向）に回転させて受け金具９に係止させることで施錠状態になる（図１および図２の状態）。その施錠状態のクレセント８のレバー８ａを室内側（図１の時計方向）に回転させたときには、クレセント８が受け金具９から外れて解錠状態になり、ガラス戸３・４を開閉することができる。なお、両ガラス戸３・４において前記出入り口の左右の端部に位置する縦框６ａ・６ａには、その内側および外側に、図３に示すように取っ手１０をそれぞれ取り付けている。
【００３０】
前記内側のガラス戸３の左側の縦框６ａの左面であってクレセント８よりも上側には、図１および図２に示すように、回転阻止装置１２をビスなどで取り付けている。その回転阻止装置１２の本体１２ａには、当該本体１２ａに対して上下方向に進退移動可能に支持されている縦長の四角棒状の阻止部材１３と、その阻止部材１３を上下方向に駆動する駆動部１４と、その駆動部１４を制御する制御部１５と、リモコン（無線送信機）１６から無線で送信されてくる指示信号（無線信号）を受信して当該指示信号を制御部１５に送る通信部１７と、制御部１５、通信部１７および直流モータ２０などの各部に電源供給を行う電源部１８とを有している。
【００３１】
駆動部１４は、図４および図５に示すように、直流モータ２０と、その直流モータ２０の出力軸に連結されているピニオンギヤ２１とを有している。ピニオンギヤ２１は、阻止部材１３において上下方向に形成されているラック２３に噛合している。そして、直流モータ２０が駆動されることで阻止部材１３が下降し、または上昇する。制御部１５にはロック手段２２を設けており、そのロック手段２２は、作動したときに、例えば直流モータ２０の正負の電源端子間を短絡して、当該直流モータ２０にブレーキ力が発生するようにしている。
【００３２】
制御部１５には、阻止部材１３が所定の進出位置まで下降したことを検出する第１リミットスイッチ２５と、阻止部材１３が所定の後退位置まで上昇したことを検出する第２リミットスイッチ２６とを接続している。具体的には、例えば阻止部材１３の上下中間位置にピンを設けており、リミットスイッチ２５・２６は、そのピンを検知することで阻止部材１３の位置（進出位置・後退位置）を検出する。リミットスイッチ２５・２６は、回転阻止装置１２の本体１２ａ内に配置されている。
【００３３】
そして、制御部１５は、直流モータ２０を駆動して阻止部材１３を前記進出位置まで下降させたときに、直流モータ２０を停止させるとともにロック手段２２を作動させる。これによって阻止部材１３は、手などで強制的に上昇させようとしても、直流モータ２０のブレーキ力によって進出位置に進出した状態で維持される。
【００３４】
また、制御部１５は、阻止部材１３を前記後退位置まで上昇させたときにも、直流モータ２０を停止させるとともにロック手段２２を作動させる。これによって阻止部材１３は、直流モータ２０のブレーキ力によって前記後退位置に後退した状態で維持される。
【００３５】
前記進出位置の阻止部材１３は、その下部が施錠状態（図１の仮想線図の状態）のクレセント８のレバー８ａの内側（室内側）の面に臨んでおり、これによってクレセント８のレバー８ａを内側に回して解錠することができなくなる。阻止部材１３が前記後退位置のときには、当該阻止部材１３は前記クレセント８のレバー８ａから離れており（図１の実線図の状態）、クレセント８のレバー８ａを内側に回して解錠することが可能になる。後退位置にある阻止部材１３は、直流モータ２０のブレーキ力によって自重などで下降することが抑制される。
【００３６】
リモコン１６と通信部１７とは、赤外線や電波や超音波などによる無線通信方式を用いている。リモコン１６には、一個の押ボタン１９を設けており、その押ボタン１９を押すごとに前記指示信号を送信し、制御部１５は、前記指示信号を受信したときに阻止部材１３が後退位置にあると、阻止部材１３を進出（下降）させ、その後に指示信号を受信したときに阻止部材１３を後退（上昇）させる。
【００３７】
なお、リモコン１６に、阻止部材１３を進出させるための進出指示用押ボタンと、阻止部材１３を後退させるための後退指示用押ボタンとをそれぞれ設けてもよい。この場合、回転阻止装置１２は、進出指示用押ボタンが押されたときに送信される指示信号を受信すると阻止部材１３を進出させ、後退指示用押ボタンが押されたときに送信される指示信号を受信すると阻止部材１３を後退させる。
【００３８】
電源部１８は、充電可能な二次電池、充電制御回路および過電流保護回路などを有している。電源部１８には、図４に示すように、ガラス戸３の内面などに配置される太陽電池２８（図３参照）がコネクタ２９を介して着脱自在に接続されている。電源部１８は、その太陽電池２８の発電電力を、制御部１５と通信部１７と直流モータ２０などの各部に供給し、さらには前記二次電池に供給して当該二次電池への充電を行わせる。太陽電池２８は、ガラス戸３の外面全体に配置してもよい。
【００３９】
制御部１５および通信部１７は、所定時間（例えば数秒）ごとにしか作動しないようになっており、リモコン１６は、制御部１５および通信部１７の作動停止時間よりも長い時間、前記指示信号を送信するようになっている。制御部１５および通信部１７は、前記作動時間内に指示信号を受信したときには、その指示に応じて直流モータ２０を駆動する。制御部１５および通信部１７を所定時間ごとにしか作動しないようにしたことで、消費電力が抑えられる。
【００４０】
このように、リモコン１６から指示信号を送信するだけで、施錠状態のクレセント８の回転の阻止およびその回転阻止を解除できるので、その回転阻止および解除の手間を軽減できるうえに、迅速にクレセント８の回転阻止の解除を行える。
【００４１】
なお、前記説明では、回転阻止装置１２をクレセント８の上側に配置したが、これに限られるものではなく、回転阻止装置１２を、例えば内側のガラス戸３の左側の縦框６ａの内側（室内側）の面であって施錠状態のクレセント８のレバー８ａの側方となる位置に取り付けてもよい。
【００４２】
前記説明では、ベランダ用の引違い戸１に回転阻止装置１２を配置したが、回転阻止装置１２は、クレセント８を設けたものであれば、引き戸などの扉、および引違い窓や片引き窓などの窓であってもよい。
【００４３】
また、回転阻止装置１２は、例えば煙感知器や火災感知器やガス感知器や地震感知器などの非常感知器（無線送信機）から無線で送信されてくる非常感知信号を直接受信し、あるいは有線式または無線式の前記非常感知器からの非常感知信号を中継機器（無線送信機）で受信し、その中継機器が無線で送信する非常感知信号を受信したときに、進出位置にある阻止部材１３を後退（上昇）させてもよい。この場合、回転阻止装置１２は、前記非常感知信号または前記指示信号のいずれかを受信したときに阻止部材１３を後退させる。非常感知器は、火事やガス漏れや地震などの非常時を感知したときに前記非常感知信号を送信する。
【００４４】
本発明に係るクレセントの回転阻止装置の第２実施例を図６および図７に基づいて説明する。第２実施例の回転阻止装置１２では、阻止部材１３は、上下移動が可能である一方で、水平方向の回転は不能である状態で本体１２ａに支持されている。具体的には、阻止部材１３は、図７に示すように横断面でＤ字状に形成されており、回転阻止装置１２の本体１２ａの底面１２ｂにＤ字状に形成されている貫通孔３０に貫通している。
【００４５】
また、阻止部材１３は、その上面から下方へ向けて、内面に雌ネジ３１を形成した係合凹部３２を設けており、その雌ネジ３１に雄ネジ３３を螺合させている。その雄ネジ３３には、カプラー３４を介して直流モータ２０を連結している。なお、直流モータ２０は、回転阻止装置１２の本体１２ａに固定している。
【００４６】
そして、制御部１５が直流モータ２０を駆動して雄ネジ３３を回転させることによって、その雄ネジ３３の回転に伴って阻止部材１３がネジ作用で下降し、または上昇する。阻止部材１３を前記進出位置まで下降させたときには、阻止部材１３を手などで強制的に上昇させることが不可能になる。つまり、第２実施例では、直流モータ２０と阻止部材１３とを雌ネジ３１と雄ネジ３３とを介して結合することで、阻止部材１３の進出（下降）状態を維持している（ロック手段）。
【００４７】
また、第２実施例では、太陽電池２８は、回転阻止装置１２の本体１２ａであって外側（ベランダ側）の面に配置している。この場合、太陽電池２８が回転阻止装置１２と一体になるので、その太陽電池２８をガラス戸３などに配置する手間を省略できる。その他の構成については第１実施例と同様であるため、同一機能のものには同一符号を付して説明を省略する。
【００４８】
なお、太陽電池２８を電源部１８のコネクタ２９から外して、または別コネクタ（不図示）を配置して、充電器などの外部電源（不図示）を前記コネクタ２９または別コネクタに接続し、その外部電源によって電源部１８の二次電池を充電してもよい。外部電源として、例えば外付けの手回し式の発電機（不図示）を前記コネクタ２９または別コネクタに接続し、その手回し式の発電機によって電源部１８の二次電池を充電してもよい。
【００４９】
また、回転阻止装置１２の本体１２ａ内に発電機（内蔵発電機）を設けるとともに、その発電機に連結する手回し式のハンドルを、例えば本体１２ａの内側の面に配置し、前記ハンドルを回して内蔵発電機で発電した電力によって電源部１８の二次電池を充電してもよい。
【符号の説明】
【００５０】
１  引違い戸
３・４  ガラス戸
８  クレセント
８ａ  レバー
９  受け金具
１２  回転阻止装置
１２ａ  本体
１３  阻止部材
１４  駆動部
１５  制御部
１６  リモコン
１７  通信部
１８  電源部
２８  太陽電池
２９  コネクタ
【図１】
2012241476.tif 000003
【図２】
2012241476.tif 000004
【図３】
2012241476.tif 000005
【図４】
2012241476.tif 000006
【図５】
2012241476.tif 000007
【図６】
2012241476.tif 000008
【図７】
2012241476.tif 000009